(57)【要約】      （修正有）【課題】パーミングしたときに、リール本体が前方に引っ張られる力に対してリール本体を支えることができる両軸受リールを提供する。【解決手段】両軸受リール１００は、リール本体と、ハンドル４と、を備える。リール本体は、第１側板６ａと、第１側板６ａと左右方向に間隔を隔てて配置された第２側板６ｂと、第１側板６ａと第２側板６ｂの間に配置された竿装着部と、第１側板６ａと第２側板６ｂの間を前方から覆う前カバー９と、を有する。左右方向における前カバー９の先端部９ａの中心Ｃ１は、左右方向における竿装着部の中心ＣＬ２よりも第１側板６ａ側に位置する。【選択図】図５
2020129977.tif 000002
【特許請求の範囲】
【請求項１】
釣り糸を前方に繰り出し可能な両軸受リールであって、
第１側板と、前記第１側板と左右方向に間隔を隔てて配置された第２側板と、前記第１
側板と前記第２側板の間に配置された竿装着部と、前記第１側板と前記第２側板の間を前
方から覆う前カバーと、を有するリール本体と、
前記第１側板側に配置されたハンドルと、
を備え、
前記左右方向における前カバーの先端部の中心は、前記左右方向における前記竿装着部
の中心よりも前記第１側板側に位置する、
両軸受リール。
【請求項２】
前記リール本体は、前記前カバーの少なくとも一部を上方から覆うようにして配置され
たサムレストをさらに有し、
前記サムレストは、前記第２側板側から前記リール本体を把持した手の親指を置く指置
き部を有し、
前記指置き部は、前記前カバーの前記先端部に対応して設けられている、
請求項１に記載の両軸受リール。
【請求項３】
前記指置き部は、前記左右方向における前記竿装着部の中心よりも前記第１側板側に偏
った位置に配置されている、
請求項２に記載の両軸受リール。
【請求項４】
前記指置き部は、上方から前記前カバーに向かう方向に凹む形状を有する、
請求項２又は３に記載の両軸受リール。
【請求項５】
前記リール本体は、前記第２側板の側方を覆う第２側カバーをさらに有し、
前記前カバーは、前記先端部から前記第１側板に向かって円弧状に湾曲して延びる第１
湾曲部と、前記先端部から前記第２側板に向かって円弧状に湾曲して延び前記第２側カバ
ーに滑らかに接続される第２湾曲部と、を有する、
請求項１から４のいずれか１項に記載の両軸受リール。
【発明の詳細な説明】
【技術分野】
【０００１】
本発明は、釣り用リール、特に両軸受リールに関する。
【背景技術】
【０００２】
両軸受リールのハンドルを操作する手と反対側の手で両軸受リールのリール本体を釣り
竿とともに把持することを、一般的にパーミングという。例えば、特許文献１の両軸受リ
ールでは、パーミングするときに、パーミングする手の人差し指をリール本体の下方から
ハンドル側に伸ばすようにしてリール本体が釣り竿とともに把持される。
【先行技術文献】
【特許文献】
【０００３】
【特許文献１】特許第３３２５７１４号公報
【発明の概要】
【発明が解決しようとする課題】
【０００４】
近年では、両軸受リールのコンパクト化が進められている。コンパクト化された両軸受
リールでは、従来のようにパーミングする手の人差し指をリール本体の下方からハンドル
側に伸ばすようにしてパーミングした場合、パーミングした手の人差し指が余るといった
傾向があり、パーミングが不安定になり易い。また、従来の両軸受リールでは、パーミン
グしたときにリール本体が前方に引っ張られる力に対してリール本体を支えることができ
ないため、釣り竿に装着されるリール本体の竿装着部に大きな負担がかかってしまう。
【０００５】
本発明の課題は、パーミングしたときに、リール本体が前方に引っ張られる力に対して
リール本体を支えることができる両軸受リールを提供することにある。
【課題を解決するための手段】
【０００６】
本発明の一側面に係る両軸受リールは、釣り糸を前方に繰り出し可能であって、リール
本体と、ハンドルと、を備える。リール本体は、第１側板と、第１側板と左右方向に間隔
を隔てて配置された第２側板と、第１側板と第２側板の間に配置された竿装着部と、第１
側板と第２側板の間を前方から覆う前カバーと、を有する。左右方向における前カバーの
先端部の中心は、左右方向における竿装着部の中心よりも第１側板側に位置する。
【０００７】
この両軸受リールでは、左右方向における前カバーの先端部の中心が左右方向における
竿装着部の中心よりも第１側板側に位置する。すなわち、左右方向における前カバーの先
端部の中心が、左右方向における竿装着部の中心よりもハンドル側に偏っている。このた
め、例えばパーミングする手の人差し指を前カバーに当ててパーミングしたときに、パー
ミングした手の人差し指の第１関節付近を前カバーの先端部に掛けることができる。これ
により、パーミングしたときに、リール本体が前方に引っ張られる力に対してリール本体
をしっかりと支えることができる。また、パーミングしたときに、パーミングした手の人
差し指が余ることを抑制できるので、リール本体を釣り竿とともにしっかりと把持するこ
とができる。
【０００８】
好ましくは、リール本体は、前カバーの少なくとも一部を上方から覆うようにして配置
されたサムレストをさらに有する。サムレストは、第２側板側からリール本体を把持した
手の親指を置く指置き部を有する。指置き部は、前カバーの先端部に対応して設けられて
いる。この場合は、パーミングした手の親指を指置き部に置いたときにリール本体を釣り
竿とともにより強固に把持することができる。
【０００９】
好ましくは、指置き部は、左右方向における竿装着部の中心よりも第１側板側に偏った
位置に配置されている、この場合は、指置き部が前カバーの先端部の中心に近い位置に配
置されるので、パーミングしたときのリール本体の把持性が向上する。
【００１０】
好ましくは、指置き部は、上方から前カバーに向かう方向に凹む形状を有する。この場
合は、パーミングする手の人差し指と親指とによって、安定した状態でリール本体を把持
することができる。
【００１１】
好ましくは、リール本体は、第２側板の側方を覆う第２側カバーをさらに有する。前カ
バーは、先端部から第１側板に向かって円弧状に湾曲して延びる第１湾曲部と、先端部か
ら第２側板に向かって円弧状に湾曲して延び第２側カバーに滑らかに接続される第２湾曲
部と、を有する。この場合は、パーミングする手の人差し指を前カバーに当ててパーミン
グしたときのリール本体の把持性が向上する。
【００１２】
本発明によれば、パーミングしたときに、リール本体が前方に引っ張られる力に対して
リール本体を支えることができる両軸受リールを提供することができる。
【図面の簡単な説明】
【００１３】
【図１】両軸受リールの平面図。
【図２】両軸受リールの正面図。
【図３】両軸受リールの部分底面図。
【図４】サムレストの斜視図。
【図５】パーミングしたときの親指と人差し指の位置を説明する図。
【発明を実施するための形態】
【００１４】
図１は、本発明の一実施形態を採用した両軸受リール１００の平面図である。図２は、
両軸受リール１００の正面図である。図３は、両軸受リール１００の部分底面図である。
なお、以下の説明において、釣りを行うときに、釣り糸が繰り出される方向を前、その反
対方向を後という。また、左右とは、両軸受リール１００を後方から見たときの左右をい
う。また、両軸受リール１００の釣り竿２０（図２参照）が装着される側を下、その反対
側を上という。
【００１５】
両軸受リール１００は、釣り糸を前方に繰り出し可能である。両軸受リール１００は、
例えば、ベイキャスト用の小型の両軸受リールである。両軸受リール１００は、図１から
図３に示すように、リール本体２と、スプール３と、ハンドル４と、を主に備えている。
【００１６】
リール本体２は、フレーム６と、第１側カバー７と、第２側カバー８と、前カバー９と
、を有している。また、好ましくは、リール本体２は、サムレスト１０をさらに有してい
る。なお、リール本体２は、パーミングした手の人差し指が前カバー９の前面に当てられ
るような大きさで構成されている。
【００１７】
フレーム６は、第１側板６ａと、第２側板６ｂと、複数の連結部６ｃと、竿装着部６ｄ
と、を有している。第１側板６ａは、フレーム６の右側に配置されている。第２側板６ｂ
は、第１側板６ａと左右方向に間隔を隔てて、フレーム６の左側に配置されている。複数
の連結部６ｃは、左右方向に延び、第１側板６ａと第２側板６ｂとを連結している。複数
の連結部６ｃは、第１側板６ａ及び第２側板６ｂと一体的に形成されている。竿装着部６
ｄは、第１側板６ａと第２側板６ｂの間に配置され、フレーム６の下側で前後方向に延び
ている。竿装着部６ｄは、複数の連結部６ｃと一体的に形成されている。竿装着部６ｄに
は、釣り竿２０が装着される。
【００１８】
第１側カバー７は、フレーム６の右側方に配置され、フレーム６の第１側板６ａの右側
方を覆う。第２側カバー８は、フレーム６の左側方に配置され、フレーム６の第２側板６
ｂの左側方を覆う。
【００１９】
前カバー９は、フレーム６の前側に配置され、第１側板６ａと第２側板６ｂの間を前方
から覆う。前カバー９は、フレーム６にねじ止め固定されている。前カバー９は、パーミ
ングした手の人差し指が前カバー９の前面に当てられるように構成されている。本実施形
態では、前カバー９は、図１から図３に示すように、フレーム６の前側から前方に向かっ
て円弧状に突出する形状を有しており、前面が円弧状に形成されている。
【００２０】
前カバー９は、先端部９ａと、第１湾曲部９ｂと、第２湾曲部９ｃと、を有している。
本実施形態における先端部９ａは、前カバー９において最も前方に位置する部分であり、
第１側板６ａ及び第２側板６ｂよりも前方に位置している。本実施形態における先端部９
ａは、第１湾曲部９ｂと第２湾曲部９ｃとが交わる部分であり、上下方向から前カバー９
を見たときの前カバー９の頂点に対応する部分である。先端部９ａは、パーミングした手
の人差し指が接触可能である。先端部９ａの前面は、図２に示すように、第１湾曲部９ｂ
及び第２湾曲部９ｃに滑らかに接続されている。なお、先端部９ａは、上下方向から前カ
バー９見たとき、左右方向に沿う平坦な形状を有していてもよい。
【００２１】
第１湾曲部９ｂは、先端部９ａから第１側板６ａに向かって円弧状に湾曲して延びてい
る。第２湾曲部９ｃは、先端部９ａから第２側板６ｂに向かって円弧状に延びている。第
２湾曲部９ｃは、第２側カバー８に滑らかに接続されている。第２湾曲部９ｃの曲率は、
第１湾曲部９ｂの曲率と異なる。本実施形態では、第２湾曲部９ｃの曲率は、第１湾曲部
９ｂの曲率よりも小さい。
【００２２】
図２及び図３に示すように、左右方向における前カバー９の先端部９ａの中心Ｃ１は、
左右方向における竿装着部６ｄの中心Ｃ２よりも第１側板６ａ側に位置する。すなわち、
左右方向における前カバー９の先端部９ａの中心Ｃ１は、左右方向における竿装着部６ｄ
の中心Ｃ２よりもハンドル４側に位置する。
【００２３】
詳細には、左右方向における前カバー９の先端部９ａの中心Ｃ１は、左右方向における
竿装着部６ｄの中心線ＣＬ１よりも第１側板６ａ側に位置する。本実施形態において、左
右方向における前カバー９の先端部９ａの中心Ｃ１とは、上下方向から見たときの前カバ
ー９の頂点に対応する部分である。なお、中心線ＣＬ１は、釣り竿２０の軸心Ａｘと平行
かつ上下方向に重なる。したがって、左右方向における前カバー９の先端部９ａの中心Ｃ
１は、釣り竿２０の軸心Ａｘよりも第１側板６ａ側に位置する。
【００２４】
図４は、サムレスト１０の斜視図である。図１及び図４に示すように、サムレスト１０
は、平面視において略Ｕ字状の形状を有しており、フレーム６の上部を覆うようにして配
置されている。サムレスト１０は、フレーム６にねじ止め固定されている。なお、サムレ
スト１０は、フレーム６と一体的に形成されてもよい。
【００２５】
サムレスト１０は、第１側サムレスト部１０ａと、第２側サムレスト部１０ｂと、前サ
ムレスト部１０ｃと、を有している。第１側サムレスト部１０ａは、第１側板６ａの上部
を覆う。第２側サムレスト部１０ｂは、第２側板６ｂの上部を覆う。前サムレスト部１０
ｃは、前カバー９の少なくとも一部を上方から覆うようにして配置され、第１側サムレス
ト部１０ａと第２側サムレスト部１０ｂとを連結している。本実施形態では、前サムレス
ト部１０ｃは、前カバー９の先端部９ａよりも後方に配置され、前カバー９の一部を上方
から覆う。前サムレスト部１０ｃは、前カバー９と上下方向に間隔を隔てて配置されてい
る。
【００２６】
サムレスト１０は、好ましくは指置き部１０ｄをさらに有している。指置き部１０ｄは
、第２側板６ｂ側からリール本体２を把持した手の親指（図５参照）を置く場所であり、
前カバー９の先端部９ａに対応して設けられている。詳細には、指置き部１０ｄは、パー
ミングする手の人差し指の第１関節付近を前カバー９の先端部９ａに掛けたときに、リー
ル本体２を把持し易い位置に設けられている。
【００２７】
指置き部１０ｄは、前サムレスト部１０ｃの上面に形成されており、上方から前カバー
９に向かう方向に凹む形状を有している。指置き部１０ｄは、前サムレスト部１０ｃの上
面において、後方から前方に向かって前カバー９に近づく方向に傾斜するように形成され
ている。指置き部１０ｄは、図２に示すように、左右方向における竿装着部６ｄの中心Ｃ
２よりも第１側板６ａ側に偏った位置に配置されており、前カバー９の先端部９ａの中心
Ｃ１に近い位置に配置されている。
【００２８】
スプール３は、第１側板６ａと第２側板６ｂとの間でリール本体２に回転可能に支持さ
れている。スプール３は、糸巻き胴部３ａと、１対のフランジ部３ｂと、を有している。
糸巻き胴部３ａは、外周に釣り糸が巻き付けられる。１対のフランジ部３ｂは、糸巻き胴
部３ａの両端において、糸巻き胴部３ａの外径よりも大径に形成されている。
【００２９】
なお、図１に示すように、左右方向における前カバー９の先端部９ａの中心Ｃ１は、左
右方向における糸巻き胴部３ａの中心線ＣＬ２よりも第１側板６ａ側に位置している。ま
た、指置き部１０ｄは、左右方向における糸巻き胴部３ａの中心線ＣＬ２よりも第１側板
６ａ側に偏った位置に配置されている。なお、上下方向からみたとき、左右方向における
糸巻き胴部３ａの中心線ＣＬ２は、釣り竿２０の軸心Ａｘ及び左右方向における竿装着部
６ｄの中心線ＣＬ１と重なる。
【００３０】
本実施形態における両軸受リール１００は、図２に示すように、スプール３の糸巻き胴
部３ａに釣り糸を均一に巻き付ける往復移動機構１５を備えている。往復移動機構１５は
、釣り糸を案内する案内孔１５ａを有している。案内孔１５ａは、両軸受リール１００を
正面から見たとき、前カバー９とサムレスト１０の間に位置している。
【００３１】
ハンドル４は、第１側板６ａ側において、リール本体２に回転可能に設けられている。
ハンドル４の回転は、周知の回転伝達機構を介して、スプール３に伝達される。
【００３２】
図５は、パーミングしたときの親指と人差し指の位置を説明する図である。本実施形態
では、ハンドル４が第１側板６ａ側（右側）に設けられているため、左手によってパーミ
ングされる。
【００３３】
上記構成の両軸受リールでは、図５に示すように、パーミングした手の人差し指を前カ
バー９の前面に当てることができる。そして、前述したように、両軸受リール１００は、
左右方向における前カバー９の先端部９ａの中心Ｃ１が左右方向における竿装着部６ｄの
中心Ｃ２よりもハンドル４側に偏っている。このため、図５に示すように、パーミングす
る手の人差し指を前カバー９の前面に当ててパーミングしたときに、パーミングした手の
人差し指の第１関節付近を前カバー９の先端部９ａに掛けることができる。これにより、
リール本体２が前方に引っ張られる力に対してリール本体２をしっかりと支えることがで
きる。また、パーミングした手の人差し指が余ることを抑制できるので、リール本体２を
釣り竿２０とともにしっかりと把持することができる。
【００３４】
また、両軸受リール１００は、指置き部１０ｄが前カバー９の先端部９ａに対応するよ
うに設けられている。具体的には、指置き部１０ｄが左右方向における竿装着部６ｄの中
心Ｃ２よりも第１側板６ａ側に偏っている。このため、パーミングした手の親指を指置き
部１０ｄに置いたときにリール本体２を釣り竿２０とともにより強固に、かつ安定した状
態で把持することができる。また、前カバー９の第２湾曲部９ｃが第２側カバー８に滑ら
かに接続されているので、パーミングした手の人差し指を前カバー９及び第２側カバー８
に当て易くなり、リール本体２の把持性が高くなる。
【００３５】
＜他の実施形態＞
以上、本発明の一実施形態について説明したが、本発明は上記実施形態に限定されるも
のではなく、発明の要旨を逸脱しない範囲で種々の変更が可能である。特に、本明細書に
書かれた複数の実施形態は必要に応じて任意に組合せ可能である。
【００３６】
前記実施形態では、フレーム６の右側に配置された側板を第１側板６ａ、フレーム６の
左側に配置された側板を第２側板６ｂとして説明したが、フレーム６の左側に配置された
側板が第１側板６ａ、フレーム６の右側に配置された側板が第２側板６ｂであってもよい
。この場合、ハンドル４はフレーム６の左側に配置され、左右方向における前カバー９の
先端部９ａの中心Ｃ１は、左右方向における竿装着部６ｄの中心Ｃ２よりも第１側板６ａ
側（左側）に位置する構成となる。
【符号の説明】
【００３７】
２    リール本体
４    ハンドル
６ａ  第１側板
６ｂ  第２側板
８    第２側カバー
６ｄ  竿装着部
９    前カバー
９ａ  先端部
９ｂ  第１湾曲部
９ｃ  第２湾曲部
１０  サムレスト
１０ｄ  指置き部
１００  両軸受リール
【図１】
2020129977.tif 000003
【図２】
2020129977.tif 000004
【図３】
2020129977.tif 000005
【図４】
2020129977.tif 000006
【図５】
2020129977.tif 000007